(57)【要約】【課題】衣服の上から噴霧しても染みにならないエアゾール組成物を提供する。【解決手段】衣服の上から噴霧しても染みにならないエアゾール組成物であって、３０℃における蒸気圧が２．０×１０〜２．０×１０-5ｍｍＨｇの活性物質と、１ａｔｍでの沸点が７０〜１００℃の第１物質と、１ａｔｍでの沸点が１０１〜２３５℃の第２物質と、１ａｔｍでの沸点が−０．５〜−１９５．８℃の第３物質のそれぞれを配合したことを特徴とするものとしている。【選択図】 なし【特許請求の範囲】
【請求項１】
衣服の上から噴霧しても染みにならないエアゾール組成物であって、３０℃における蒸気圧が２．０×１０〜２．０×１０-5ｍｍＨｇの活性物質と、１ａｔｍでの沸点が７０〜１００℃の第１物質と、１ａｔｍでの沸点が１０１〜２３５℃の第２物質と、１ａｔｍでの沸点が−０．５〜−１９５．８℃の第３物質のそれぞれを配合したことを特徴とするエアゾール組成物。
【請求項２】
衣服の上から噴霧しても染みにならないエアゾール組成物であって、３０℃における蒸気圧が２．０×１０〜２．０×１０-5ｍｍＨｇの活性物質と、１ａｔｍでの沸点が７０〜１００℃の第１物質と、１ａｔｍでの沸点が−０．５〜−１９５．８℃の第３物質のそれぞれを配合したことを特徴とするエアゾール組成物。
【発明の詳細な説明】
【技術分野】
【０００１】
本発明は、衣服の上から噴霧しても染みにならないエアゾール組成物に関する。
【背景技術】
【０００２】
従来、エアゾール組成物は、染み抜き用エアゾール剤が知られていた。
【０００３】
この染み抜き用エアゾール剤は、衣服にシミがついたあとに、このシミの染み抜きを行うものに過ぎなかった。例えば、アルコール系溶剤と炭化水素系溶剤を含有する染み抜き剤組成物、並びにこの染み抜き剤組成物に更に界面活性剤および／または揮発抑制剤を添加した染み抜き剤組成物というものに過ぎなかった（特許文献１）。
【特許文献１】特開２００１−１８１９５８号公報
【発明の開示】
【発明が解決しようとする課題】
【０００４】
しかしながら、前記従来の染み抜き用エアゾール剤を服の上からスプレーすると、衣服に変色・変質が生じてしまうことがあり、仕方なくクリーニングをするほかなかった。
【０００５】
そこで本発明は、衣服の上から噴霧しても染みにならないエアゾール組成物を提供することを目的としてなされたものである。
【課題を解決するための手段】
【０００６】
すなわち、本発明は、衣服の上から噴霧しても染みにならないエアゾール組成物であって、３０℃における蒸気圧が２．０×１０〜２．０×１０-5ｍｍＨｇの活性物質と、１ａｔｍでの沸点が７０〜１００℃の第１物質と、１ａｔｍでの沸点が１０１〜２３５℃の第２物質と、１ａｔｍでの沸点が−０．５〜−１９５．８℃の第３物質のそれぞれを配合したことを特徴とするエアゾール組成物に係る。
【０００７】
さらに、本発明は、衣服の上から噴霧するエアゾール組成物であって、３０℃における蒸気圧が２．０×１０〜２．０×１０-5ｍｍＨｇの活性物質と、１ａｔｍでの沸点が７０〜１００℃の第１物質と、１ａｔｍでの沸点が−０．５〜−１９５．８℃の第３物質のそれぞれを配合したことを特徴とするエアゾール組成物に係る。
【０００８】
本発明において用いる３０℃における蒸気圧が２．０×１０〜２．０×１０-5ｍｍＨｇの活性物質としては、化合物として、２−エチル−２−ブチル−１，３−プロパンジオール（以下、ＡＡという）、２，３，４，５−ビス（△2 −ブチレン）テトラハイドロフルフラール（以下、ＡＢという）、ジ−ｍ−プロピルイソシンコメロネート（以下、ＡＣという）、２−（４−エトキシフェニル）−２メチルプロピル−３−フェキシベンジルエーテル（以下、ＡＤという）、１−エチニル−２−メチル−２−ペンテニル−２，２，３，３−テトラメチルシクロプロパンカルボキシレート（以下、ＡＥという）、１−エチニル−２−メチル−２−ペンテニル−２，２−ジメチル−３−（２′−メチル−１′−プロペニル）シクロプロパンカルボキシレート（以下、ＡＦという）、メトフルトリン（以下、ＡＧという）、トランスフルトリン（以下、ＡＨという）、スタークル（以下、ＡＩという）、アミド系化合物｛例えば、ジエチルトルアミド（以下、ＡＪという）｝などより選ばれた少なくとも１種（以下、活性物質Ａという）が例示できる。
【０００９】
さらに天然物としては、桂皮（以下、ＢＡという）、樟脳（以下、ＢＢという）、シトロネラ（以下、ＢＣという）、レモングラス（以下、ＢＤという）、クローバ（以下、ＢＥという）、タチジャコウソウ（以下、ＢＦという）、ジェラニウム（以下、ＢＧという）、ベルガモント（以下、ＢＨという）、月桂樹（以下、ＢＩという）、松（以下、ＢＪという）、アカモモ（以下、ＢＫという）、ペニーロイアル（以下、ＢＬという）、ユーカリ（以下、ＢＭという）およびインドセンダン（以下、ＢＮという）などから取れる精油などより選ばれた少なくとも１種（以下、活性物質Ｂという）が例示でき、これらの１種または２種以上を選択して用いることができる。上記化合物、天然物の中、特にジエチルトルアミド、メトフルスリン、エトックを配合したものとするのが好ましい。そして、その配合量としては各薬剤により異なるが、例えば、ジエチルトルアミドであれば０．１〜２５ｗ／ｖ％、好ましくは１〜１５ｗ／ｖ％の範囲が良い。さらに、その配合量としては、２〜１０ｗ／ｖ％が好ましい。なお、この範囲を外れて用量が０．１ｗ／ｖ％より少ないと、用途に応じた各成分の効力が発揮できず、２５ｗ／ｖ％より多過ぎると、べたつくようになり好ましくない。
【００１０】
上記活性物質Ａ及び／又は活性物質Ｂは、これら活性物質の効能に応じて各種用途に使用される。
【００１１】
本発明において、前記エアゾール組成物の活性物質Ａ及び／又は活性物質Ｂを溶かし込むのに用いる１ａｔｍでの沸点が７０〜１００℃の第１物質としては、例えば水｛（以下、ＣＡという）（但し、第１物質が水溶性活性物質である以外は第２物質を併用する）｝、例えばエチルアルコール（以下、ＣＢという）、イソプロピルアルコール（以下、ＣＣという）など低級アルコール、またこれらの低級アルコールに香料などで変性した変性アルコール（以下、ＣＤという）などから選ばれる１種または２種以上が例示できる。そして、これらの配合量は各々性状により異なり、例えばＣＢを例に取ると、その配合量としては２０〜９５ｖ／ｖ％であり、好ましくは５０〜９０ｖ／ｖ％であり、さらに好ましくは６０〜８５ｖ／ｖ％である。なお、ＣＢの配合量が２０ｖ／ｖ％以下であれば清涼感が不十分で、９５ｖ／ｖ％以上であれば他の成分を添加することができなくなる。
【００１２】
本発明においては、前記エアゾール組成物の活性物質Ａ及び／又は活性物質Ｂを溶媒中に均一に配合させるために、次のような１ａｔｍでの沸点が１０１〜２３５℃の第２物質を一緒に用いることが好ましい。ただ、前記１ａｔｍでの沸点が１０１〜２３５℃の第２物質は、持続期間との関係でかならずしも使用しなくてもよい。このような第２物質としては、例えば、グリコール｛１，３−ブチレングリコール（以下、ＤＡという）｝、多価アルコール｛１，２−ブタンジオール（以下、ＤＢという）、１，４−ブタンジオール（以下、ＤＣという）｝、エーテル（ジプロピルエーテル｛（以下、ＤＤという）｝、エステル｛酢酸エチル（以下、ＤＥという）、酢酸ブチル（以下、ＤＦという）｝、ケトン｛メチルエチルケトン（以下、ＤＧという）｝より選ばれた少なくとも１種が例示できる。これらの第２物質の１種または２種以上を配合することで活性物質Ａ及び／又は活性物質Ｂを組成物中に分散乃至溶解することができ、その配合量としては０．１〜２０ｗ／ｖ％であり、好ましくは０．１〜１５ｗ／ｖ％で、特に好ましいのは２〜１２ｗ／ｖ％である。
【００１３】
本発明のエアゾール組成物は、前記した組成物に１ａｔｍでの沸点が−０．５〜−１９５．８℃の第３物質を添加してエアゾール容器に充填することでできる。このような物質としては、例えば、ＬＰＧ（以下、ＥＡという）、プロパン（以下、ＥＢという）、ｎ−ブタン（以下、ＥＣという）、イソブタン（以下、ＥＤという）、ｎ−ブチレン（以下、ＥＥという）、イソブチレン（以下、ＥＦという）、ブタジエン（以下、ＥＧという）、ｎ−ペンタン（以下、ＥＨという）、イソペンタン（以下、ＥＩという）、ジメチルエーテル（以下、ＥＪという）、液化炭酸（以下、ＥＫという）など推進剤機能を発揮し得るものとして用いられるものが挙げられ、これらから選ばれた１種または２種以上の物を用いることができる。そして、その配合量は、活性物質Ａ若しくは活性物質Ｂと、第１物質若しくはこれと第２物質とを合わせたものに対して、第３物質が１０：９０〜７０：３０の割合で、特に２０：８０〜５０：５０の範囲が好ましい。なお、１０：９０〜７０：３０の範囲を外れると、噴射粒子が大きく、充分な効力を発揮することができなくなる。
【００１４】
さらに、本発明のエアゾール組成物に用いるエアゾール容器としては、押しボタンの噴射口径が０．３〜０．７ｍｍ、ステムの内径が０．３〜０．６ｍｍ、アンダータップの内径が０. ３〜２．２ｍｍ、ディップチューブの内径が０．５〜４ｍｍを具備する容器が好ましい。
【００１５】
そして、このようなエアゾール容器に充填することで調製されたエアゾール組成物を使用する場合は、通常のエアゾール組成物と同様の使用方法で用いることができる。なお、本発明のエアゾール組成物に、用途に応じその他の成分として香料などの添加剤を含有させることができるのはいうまでもない。
【発明の効果】
【００１６】
本発明のエアゾール組成物は、衣服の上から噴霧しても染みにならないという極めて優れた効果を発揮し得る。さらに、本発明のエアゾール組成物は、衣服の上から噴霧しても染みにならず、かつ優れた持続性を有する害虫忌避性エアゾール組成物などの用途に最適なエアゾール組成物が得られた。
【発明を実施するための最良の形態】
【００１７】
〔実施例〕
以下に示す試験例および製剤例により、本発明のエアゾール組成物をより詳細に説明する。なお、本発明は、以下の実施例に限定されるものではない。
【００１８】
試験試料は、３０℃における蒸気圧が２．０×１０〜２．０×１０-5ｍｍＨｇの活性物質（例えばＡＪ）２．００ｇ、沸点１０１〜２３５℃／１ａｔｍの第２物質（例えばＤＡ）１．００ｇを、沸点７０〜１００℃／１ａｔｍの第１物質（例えばＣＢ）にて２０ｍｌにまでフィルアップし、そして耐圧性容器に入れ、さらに沸点−０．５〜−１６１．５℃／１ａｔｍの第３物質（例えばＥＡ）８０ｍｌを添加してエアゾール組成物を調製した。
【００１９】
（試験方法および試験結果）
ｉ．部材への影響確認
＜方法＞
様々な素材の衣類片（１２ｃｍ×１２ｃｍ）に試験試料を１０秒間噴射し、放置する。その後、変色、変質を官能的に確認する。
＜結果＞
試験結果を表１に示す。
【００２０】
【表１】
2008169248.tif 000002
【００２１】
表１に示したように、衣類で使用されている一般的な素材で変色、変質は確認できなかった。しかし、金糸では表面の光沢がなくなった。
【００２２】
以上の結果を以って、夏物の衣類に使用されている一般的な素材での変色、変質はないことが明らかとなった。
【００２３】
ii．処方例
表２に処方を示す。
【００２４】
【表２】
2008169248.tif 000003
【００２５】
iii．忌避効力試験（表２の処方中のＡＪ、ＤＡ、ＣＢ、ＥＡのそれぞれを用いて、以下の試験方法で忌避試験を行った）
＜供試虫＞  ヒトスジシマカ雌成虫
＜試験方法＞
１）試験の１２時間前に白衣の前腕部分に薬剤を処理する。もう一方の前腕を無処理区とする。
２）試験当日、試験室内を温度２８〜３０℃、湿度５０〜６０％ＲＨの状態にする。
３）被験者１人に対して忌避試験用ケージ（６６×６６×４５ｃｍ）１個を用意し、中に供試虫を約５０頭入れる。
４）白衣を着用し、前腕をケージに入れ、薬剤処理区、無処理区のそれぞれにランディングする供試虫の数を処理直後から一定時間毎に３０秒間計測する。試験反復回数は３回であり、その平均を各製剤区のランディング数とする。
５）次式により、忌避率を算出する。
忌避率（％）＝｛１−（薬剤処理区の平均ランディング数／無処理区の平均ランディング数）｝×100
＜結果＞
試験結果を表３に示す。なお、参考データとして直接肌に処理した場合の忌避率も記載する。
【００２６】
【表３】
2008169248.tif 000004
【００２７】
表３に示したように、忌避効力試験では、本発明の処方はひと腕５秒処理の場合、処理２４時間後においても忌避率８６．８％を保持していた。
【手続補正書】
【提出日】平成19年1月15日(2007.1.15)
【手続補正１】
【補正対象書類名】明細書
【補正対象項目名】０００４
【補正方法】変更
【補正の内容】
【０００４】
しかしながら、エアゾール組成物を服の上からスプレーすると、衣服に変色・変質が生じてしまうことがあり、仕方なくクリニーングをするほかなかった。